(57)【要約】【課題】  電子化された大量のマルチメディア情報を同時に画像表示して閲覧するための情報閲覧システム、方法およびプログラムを提供する。【解決手段】  閲覧対象となる複数のコンテンツを収集して記憶するための閲覧対象リストと、閲覧対象リストに記憶された複数のコンテンツを遠近感をもって一群に配置し画像表示するためのコンテンツ表示手段と、コンテンツ表示手段に遠近感をもって画像表示されたコンテンツ群に対し、遠方へ前進するように変化する画像表示と、後退するように変化する画像表示と、を切替えるための進退表示切替手段と、を備える。【選択図】      図１
2006235760.tif 000002
【特許請求の範囲】
【請求項１】
複数種類のＷｅｂページのコンテンツをそれぞれ同時に画像表示して閲覧するための情報閲覧システムにおいて、
閲覧対象となる複数の前記コンテンツを収集して記憶するための閲覧対象リストと、
前記閲覧対象リストに記憶された複数の前記コンテンツを遠近感をもって一群に配置し画像表示するためのコンテンツ表示手段と、
前記コンテンツ表示手段に遠近感をもって画像表示された前記コンテンツ群に対し、遠方へ前進するように変化する画像表示と、後退するように変化する画像表示と、を切替えるための進退表示切替手段と、
を備えることを特徴とする情報閲覧システム。
【請求項２】
前記進退表示切替手段は、
２個一組のボタン、電気的なスイッチによる構成のレバー、アクセル／ブレーキペダル、マウスに装備されたホイール状のスイッチ、［前進］／［後退］とＯＦＦ状態の中間位置において連続して前記画像表示の進退速度を任意に設定可能な操作手段、
のうちのいずれかを構成に含むことを特徴とする請求項１に記載の情報閲覧システム。
【請求項３】
前記閲覧対象リストは、
前記コンテンツ表示手段の同時に画像表示可能な前記コンテンツの数が該閲覧対象リストに記憶された総数よりも小さい場合において、
前記進退表示切替手段による前進／後退それぞれの前記画像表示の変化に連動し、該閲覧対象リストに記憶されたコンテンツを削除あるいは新たに収集するためのコンテンツ収集／削除手段と、
自己に設定された一度に収集可能なコンテンツの収集可能数量に比して、前記コンテンツ表示手段に一度に画像表示可能な前記コンテンツ群の数量の方が多い場合において、すくなくとも連続する二度以上の前記コンテンツの収集を行うためのコンテンツ連続収集手段と、
を備えることを特徴とする請求項１または２のいずれかに記載の情報閲覧システム。
【請求項４】
前記進退表示切替手段は、
前記コンテンツを構成する音声データと、動画データと、のうちのいずれかについて、
前記画像表示の前進／後退のそれぞれの変化に連動して前記コンテンツの再生および停止を実行させるためのコンテンツ再生制御手段
を備えることを特徴とする請求項１〜３のいずれかに記載の情報閲覧システム。
【請求項５】
前記コンテンツ再生制御手段は、
前記コンテンツの再生における音量および／または動画再生品質を前記画像表示の変化に連動して所定値に設定するためのコンテンツ再生品質制御手段
を備えることを特徴とする請求項４に記載の情報閲覧システム。
【請求項６】
複数種類のＷｅｂページのコンテンツをそれぞれ同時に画像表示して閲覧するための情報閲覧方法において、
閲覧対象リストにおいて、閲覧対象となる複数の前記コンテンツを収集して記憶するステップと、
コンテンツ表示手段において、前記閲覧対象リストに記憶された複数の前記コンテンツを遠近感をもって一群に配置し画像表示するステップと、
進退表示切替手段において、前記コンテンツ表示手段に遠近感をもって画像表示された前記コンテンツ群に対し、遠方へ前進するように変化する画像表示と、後退するように変化する画像表示と、を切替えるステップと、
を有することを特徴とする情報閲覧方法。
【請求項７】
複数種類のＷｅｂページのコンテンツをそれぞれ同時に画像表示して閲覧するための情報閲覧プログラムにおいて、
閲覧対象リストにおいて、閲覧対象となる複数の前記コンテンツを収集して記憶するステップと、
コンテンツ表示手段において、前記閲覧対象リストに記憶された複数の前記コンテンツを遠近感をもって一群に配置し画像表示するステップと、
進退表示切替手段において、前記コンテンツ表示手段に遠近感をもって画像表示された前記コンテンツ群に対し、遠方へ前進するように変化する画像表示と、後退するように変化する画像表示と、を切替えるステップと、
を有することを特徴とする情報閲覧プログラム。
【発明の詳細な説明】
【技術分野】
【０００１】
本発明は、電子化された大量のマルチメディア情報を同時に画像表示して閲覧するための情報閲覧システム、方法およびプログラムに関する。
【背景技術】
【０００２】
従来の技術において、インターネットなどのＷｅｂページ上に存在する大量の画像データ、動画データ、音声データを閲覧するために、さまざまな方式が提案されている。例えばＩｎｆｏＬｅａｄ（登録商標）を利用した検索サービスでは、図２４に参照されるように、ユーザ端末などから投入されたキーワードに基づいて画像データを検索した結果を表示したものである。検索画面１０１において、複数のサムネイル１００が平面的に並べて表示されている。
【０００３】
こうした大量データの閲覧に係る方式は、さまざまな検索サービスサイトで使用されており、その検索結果は視覚的に遠近感を生む遠近法を用いた３Ｄ（３次元）でもって画像表示される。
【０００４】
なお、一つの画面に同時に画像表示が可能なオブジェクト（画像データ）の数にはメモリ容量等の物理的な限界があることから、予め定められた一定の枚数（例えば５０〜１００枚など）に限定されている場合が多い。このため、例えば１０、０００件の検索結果を閲覧するためには、［次の５０件］［前の５０件］などの表示範囲選択ボタンを利用して、ページめくり方式のナビゲーションを行うことになる。これは一般的な検索Ｗｅｂサイトでも同様で、例えば５０件ごとにセグメント化された検索結果リストをページ切換しながら表示していく方式が広く利用されている（特許文献１参照）。
【特許文献１】特開平５−１２１９８８号公報
【発明の開示】
【発明が解決しようとする課題】
【０００５】
しかしながら上述した従来技術においては、下記のような解決すべき課題を有している。
【０００６】
（１） 低解像度の代替画像（サムネイル）が使用されており、くわしく拡大して閲覧するためには、画面上のボタンやリンクをクリックする操作の必要がある。
【０００７】
（２） 検索結果をすべて閲覧するためには、下記の操作が必要となる場合がある。
【０００８】
（ア）Ｗｅｂページをする画面スクロールさせて、隠れている部分を表に出す。
【０００９】
（イ）［次の結果］などのボタンやハイパーリンクをクリックして、次のＷｅｂページを画面上に呼び出す。
【００１０】
上記（ア）は検索結果表示内容が、端末の画面より大きな場合に、この操作が必要となってしまう。１回当たりの検索結果表示件数を減らすことによって、画面スクロールの手順を減らすことができるが、その場合は逆に（イ）の手順を増やすことになってしまうため、利便性を大きく向上させることは難しい。
【００１１】
また、代替画像の表示サイズを小さくすることで上記（ア）、および（イ）の手順数を減らすことができるものの、代替画像そのものが見づらくなるため、画像がユーザの所望するものかどうかを確認するための拡大表示指示がより多く必要になってしまう。
【００１２】
また、ユーザが検索結果候補群を示すポインタとサマリからなるリストを参照し、１点づつ詳細な内容を呼び出して内容を確認していく方法が一般的に用いられており、検索結果が数百件〜数万件以上にのぼる場合は、そのすべての内容を確認することは事実上困難であった。
【００１３】
また、検索結果サマリには、文書内容の一部要約、縮小画面などが利用されているが、本当にユーザの意中のものであるかを確認するためには、［画像の拡大表示］、［動画の再生開始］、［音声の再生開始］等の操作をユーザが行う必要があり、また再生中のマルチメディア情報の［再生停止］、［画像消去］等の操作を行う必要があった。
【００１４】
このため１点の検索結果を詳細に閲覧するためには、最低２〜４ステップの操作手順が必要となり、大量の検索結果を閲覧するためには、ユーザは膨大な数の操作指示を情報閲覧端末に入力する必要があった。
【００１５】
本発明は、上記の課題に鑑みてなされたもので、その目的とするところは、検索に係る労力の軽減および単位時間あたりの検索結果の閲覧可能件数を向上させることができ、
また、遠近感を持って画像表示された検索結果について前進方向と後退方向の他の検索結果を連続的に検索可能な機能（シームレス検索機能）を実現でき、
また、音声データや動画データなどの検索結果を閲覧と同時に再生させることができ、
また、検索結果の連続的な閲覧に連動して音声データの再生音量や、動画データの画質の調整を実行することができる情報閲覧システム、方法およびプログラムを提供することにある。
【課題を解決するための手段】
【００１６】
課題を解決するために、請求項１に記載の本発明は、複数種類のＷｅｂページのコンテンツをそれぞれ同時に画像表示して閲覧するための情報閲覧システムにおいて、閲覧対象となる複数の前記コンテンツを収集して記憶するための閲覧対象リストと、前記閲覧対象リストに記憶された複数の前記コンテンツを遠近感をもって一群に配置し画像表示するためのコンテンツ表示手段と、前記コンテンツ表示手段に遠近感をもって画像表示された前記コンテンツ群に対し、遠方へ前進するように変化する画像表示と、後退するように変化する画像表示と、を切替えるための進退表示切替手段と、を備える。
【００１７】
また、請求項２に記載の本発明は、請求項１において、前記進退表示切替手段は、２個一組のボタン、電気的なスイッチによる構成のレバー、アクセル／ブレーキペダル、マウスに装備されたホイール状のスイッチ、［前進］／［後退］とＯＦＦ状態の中間位置において連続して前記画像表示の進退速度を任意に設定可能な操作手段、のうちのいずれかを構成に含む。
【００１８】
また、請求項３に記載の本発明は、請求項１または２のいずれかにおいて、前記閲覧対象リストは、前記コンテンツ表示手段の同時に画像表示可能な前記コンテンツの数が該閲覧対象リストに記憶された総数よりも小さい場合において、前記進退表示切替手段による前進／後退それぞれの前記画像表示の変化に連動し、該閲覧対象リストに記憶されたコンテンツを削除あるいは新たに収集するためのコンテンツ収集／削除手段と、前記コンテンツ収集／削除手段は、自己に設定された一度に収集可能なコンテンツの収集可能数量に比して、前記コンテンツ表示手段に一度に画像表示可能な前記コンテンツ群の数量の方が多い場合において、すくなくとも連続する二度以上の前記コンテンツの収集を行うためのコンテンツ連続収集手段と、を備える。
【００１９】
また、請求項４に記載の本発明は、請求項１〜３のいずれかにおいて、前記進退表示切替手段は、前記コンテンツを構成する音声データと、動画データと、のうちのいずれかについて、前記画像表示の前進／後退のそれぞれの変化に連動して前記コンテンツの再生および停止を実行させるためのコンテンツ再生制御手段を備える。
【００２０】
また、請求項５に記載の本発明は、請求項４において、前記コンテンツ再生制御手段は、前記コンテンツの再生における音量および／または動画再生品質を前記画像表示の変化に連動して所定値に設定するためのコンテンツ再生品質制御手段を備える。
【００２１】
また、請求項６に記載の本発明は、複数種類のＷｅｂページのコンテンツをそれぞれ同時に画像表示して閲覧するための情報閲覧方法において、閲覧対象リストにおいて、閲覧対象となる複数の前記コンテンツを収集して記憶するステップと、コンテンツ表示手段において、前記閲覧対象リストに記憶された複数の前記コンテンツを遠近感をもって一群に配置し画像表示するステップと、進退表示切替手段において、前記コンテンツ表示手段に遠近感をもって画像表示された前記コンテンツ群に対し、遠方へ前進するように変化する画像表示と、後退するように変化する画像表示と、を切替えるステップと、を有する。
【００２２】
また、請求項７に記載の本発明は、複数種類のＷｅｂページのコンテンツをそれぞれ同時に画像表示して閲覧するための情報閲覧プログラムにおいて、閲覧対象リストにおいて、閲覧対象となる複数の前記コンテンツを収集して記憶するステップと、コンテンツ表示手段において、前記閲覧対象リストに記憶された複数の前記コンテンツを遠近感をもって一群に配置し画像表示するステップと、進退表示切替手段において、前記コンテンツ表示手段に遠近感をもって画像表示された前記コンテンツ群に対し、遠方へ前進するように変化する画像表示と、後退するように変化する画像表示と、を切替えるステップと、を有する。
【発明の効果】
【００２３】
本発明によれば、検索に係る労力の軽減および単位時間あたりの検索結果の閲覧可能件数を向上させることができ、
また、遠近感を持って画像表示された検索結果について前進方向と後退方向の他の検索結果を連続的に検索可能な機能（シームレス検索機能）を実現でき、
また、音声データや動画データなどの検索結果を閲覧と同時に再生させることができ、
また、検索結果の連続的な閲覧に連動して音声データの再生音量や、動画データの画質の調整を実行することができる情報閲覧システム、方法およびプログラムを提供することができる。
【発明を実施するための最良の形態】
【００２４】
本発明の情報閲覧システムの実施の形態においては、インターネットなどのネットワークを介して検索し収集した大量の検索結果を閲覧するために、シームレス検索機能を実現している。
【００２５】
このシームレス検索機能とは、検索結果の画面表示において擬似的な３次元表示におけるユーザの視点移動操作に連動して、次々に連続するセグメント（他の検索結果）を読込んで画像表示することによって、継ぎ目の無い検索結果総覧を実現している。
【００２６】
具体的には、まず、複数のＷｅｂページのサムネイル画像を、遠近感をもたせた擬似的な３次元画像表示によるトンネル状に配置し、このトンネルの中をユーザの視点で奥に向かってあたかも前進するかのように画像表示することにより、多数の検索結果を同時に閲覧可能とする基本画面がある。
【００２７】
この基本画面では、ユーザから見てトンネル前方に向かってＷｅｂページを敷き詰めていくものの、同時に表示できるＷｅｂページの数には限りがあるので、トンネルの先のほうではあたかも検索結果表示が中断しているように見える。
【００２８】
しかし、３Ｄ画像の遠近法効果によって、トンネル前方遠くのＷｅｂページは画面上では非常に小さく描画されるため、背景に自然に溶け込んであたかも消失しているように見える。このため、検索結果表示が中断していることが違和感無くきわめて自然に感じられることになる。
【００２９】
ユーザの視点で画像表示画面に対して奥へ前進すると、既に閲覧済みのＷｅｂページは視界の後方に消える。この不可視状態のＷｅｂページを動的に、トンネルの最前方に再配置することによって、どこまで進んでも先が続くかのような擬似的な無限空間を作り出している。
【００３０】
なお、Ｗｅｂページの読み込みや表示開始には暫くの処理時間がかかる場合があるが、トンネル最前方に再配置した瞬間にリクエストを開始することによって、ユーザが前進してその場所に到達するまでには読み込みを完了させている。この擬似的な無限空間に、バックラグウンドで検索結果を先読みし、蓄積する機構を合体させることで、シームレスに検索結果を閲覧することを可能にしている。
【００３１】
図１は、本発明の情報閲覧システムの実施の形態に係る、基本構成を説明するための構成図を示す。
【００３２】
閲覧リスト生成サーバ１と、コンテンツ蓄積サーバ２と、レンダリングサーバ３と、ユーザ端末５と、インターネット、ＬＡＮ、ＷＡＮなどのネットワーク４と、が示されている。これらの構成は互いにネットワーク４によって接続されており、相互のデータ通信が可能なものとされている。
【００３３】
閲覧リスト生成サーバ１には、閲覧対象リスト検索プログラム６が記憶されており、例えばキーワード検索などで得られた検索結果等を閲覧対象リストとして生成することができる。閲覧対象リストには、ＵＲＬ等の表記方法によって、コンテンツ蓄積サーバ２に内蔵された各種マルチメディアコンテンツ（以下、コンテンツ７）へのポインタのリスト、およびサマリー情報、重み付け情報などの付加情報から構成されている。
【００３４】
コンテンツ蓄積サーバ２には画像、音声、ＨＴＭＬ文書、ＰＤＦ文書、電子地図などの各種コンテンツ７が格納されており、たとえばＨＴＴＰなどのプロトコルによって、蓄積されているコンテンツをネットワーク４を介して取得可能とする。
【００３５】
レンダリングサーバ３は、ＨＴＭＬやＰＤＦで表現されたコンテンツ７を画像化するためのサーバである。ユーザ端末５からのリクエストによって、コンテンツ蓄積サーバ２からＨＴＭＬ文書などを代理取得し、ユーザ端末５の要求に従ってビットマップ画像化したものを、要求元のユーザ端末５に返却する。このような処理は、コンテンツのレンダリング処理プログラム８によって実行されている。
【００３６】
ユーザ端末５は、後述の図２に参照される各手段によって構成されており、ユーザ１９からの指示に従って閲覧対象リストを閲覧リスト生成サーバ１より取得し、コンテンツ蓄積サーバ２により取得したコンテンツ７を仮想３次元空間上に表示することが可能なコンテンツ表示手段である情報閲覧システムを構成している。
【００３７】
図２は、本発明の情報閲覧システムの実施の形態に係る、操作を説明するための説明図を示す。
【００３８】
ユーザ１９は、進退表示切替手段の構成の一部であって、ホイール付きマウスやジョイスティック、キーボード、およびペダルコントローラなどを適用して実現された入力装置１１を操作して、閲覧対象リスト取得手段１２およびユーザ画面操作手段１４に対して指示を入力する。
【００３９】
閲覧対象リスト取得手段１２は、あらかじめ人為的に編集された閲覧対象リスト９、または検索結果の出力などをユーザ１９からの指示に従って閲覧リスト生成サーバ１から取得する。ユーザ端末５は閲覧対象リスト９の全体を一括して受信することもできるが、閲覧リスト生成サーバ１がセグメント化された閲覧対象リスト９しか送信できない場合は、次のセグメントを連続的に読み込む機能を備えている。
【００４０】
ユーザ端末５は、閲覧対象リスト９の生成条件を閲覧リスト生成サーバ１より取得し、ユーザ端末５自身の汎用のオペレーションシステムで用意されたＧＵＩ機構などを利用して、２Ｄ／３Ｄグラフィックス・音制御装置１７に対し生成条件の入力表示や結果、エラー表示などを行う。
【００４１】
ユーザ画面操作制御手段１４は、［進む］［戻る］などのユーザ画面操作を受け、仮想的な３次元空間内部における視点の位置制御を行う。このユーザ画面操作制御手段１４により画面上で遠方へ前進するように変化する画像表示と、後退するように表示する画像表示と、を切替えるための進退表示切替手段を構成している。
【００４２】
コンテンツ配置手段１５は、ユーザ端末５の表示画面上における仮想的な視点位置情報と閲覧対象リスト９を使用して、コンテンツの動的な生成表示、および削除を行う。また閲覧対象リスト９の次のセグメントの取得が必要になった場合、ユーザ端末５に次のセグメントの新たな閲覧対象リスト９を要求する。このような構成のコンテンツ配置手段１５により、コンテンツ収集／削除手段と、コンテンツ連続収集手段と、を構成している。
【００４３】
コンテンツ表示手段１６は、コンテンツ配置手段１５の表示を受け、仮想的な３次元空間内部にコンテンツ７を表示する。コンテンツを構成するビットマップ画像素材、音声、動画等がクライアントコンピュータ内部に蓄積されていない場合は、コンテンツ取得手段１３にコンテンツ７の取得を要求する。コンテンツ表示手段１６はＯｐｅｎＧＬ（登録商標）やＤｉｒｅｃｔ３Ｄ（登録商標）などの業界標準的な手段を用いた仮想３次元空間描画命令を生成する。このようなコンテンツ表示手段１６によって、コンテンツ再生制御手段と、コンテンツ再生品質制御手段と、が実現されている。
【００４４】
コンテンツ取得手段１３は、コンテンツ蓄積サーバ２に対してＨＴＴＰなどの手段を利用してリクエストを送信し、コンテンツ７の実体を取得する。コンテンツの内容がＨＴＭＬ文書やＰＤＦ文書のように、直接ビットマップ画像から構成されていないものであった場合は、レンダリングサーバ３に対してビットマップ画像生成リクエストを行い、コンテンツ７の代理取得、およびビットマップ画像化を指示する。
【００４５】
２Ｄ／３Ｄグラフィックス・音制御装置１７は、コンテンツ表示手段１６で生成された仮想３次元描画命令を実行し、ユーザ端末５（クライアントコンピュータ）に内蔵されたビデオメモリに図形・テキストなどを描画する。またＤｉｒｅｃｔ３ＤＳｏｕｎｄ（登録商標）などの手段を用いて、仮想的な３次元空間内部の立体音響の再生を行う。
【００４６】
画面表示装置／音声出力装置１８は、２Ｄ／３Ｄグラフィックス・音制御装置１７からのビデオ・音声信号出力を再生し、画面表示と音声出力を行う。
【００４７】
次に、図３において、本発明の情報閲覧システムの実施の形態に係る、ユーザ操作の入力による処理を説明するためのフロー図を示す。
【００４８】
まず、ユーザ操作の入力が入力装置１１を介して入力される（ステップ１：Ｓ１）。次に、閲覧対象リスト取得手段１２により閲覧条件の操作指示であるか否かが判断（ＹＥＳ／ＮＯ）される（ステップ２：Ｓ２）。
【００４９】
ここで、閲覧条件の操作指示であると判断されると（ＹＥＳ）、閲覧条件の入力が行われる（ステップ４：Ｓ４）。入力された閲覧条件に基づいて閲覧対象リスト９の取得のための閲覧対象リスト取得要求が閲覧リスト生成サーバ１に対して行われ、この要求に対する閲覧対象リスト９の返信をもって取得する（ステップ５：Ｓ５）。
【００５０】
次に、閲覧対象リスト９が取得できたか否かが判断（ＹＥＳ／ＮＯ）される（ステップ６：Ｓ６）。この判断においてＮＯと判断されると、処理は終了し再びユーザ操作の入力待ちとなる。一方、ＹＥＳと判断されると、今度はコンテンツ配置手段１５により、閲覧対象リスト９の取得が実行される（ステップ７：Ｓ７）。
【００５１】
次に、視点位置の初期化が実行され（ステップ８：Ｓ８）、次に、画面表示の初期化も実行される（ステップ９：Ｓ９）。ここまでの処理が終了した後、再び処理はユーザ操作の入力待ち状態になる。
【００５２】
一方、前記のステップ２において閲覧条件の操作指示ではないＮＯと判断されると、次に視点変更の操作指示であるか否か（ＹＥＳ／ＮＯ）の判断がされる（ステップ３：Ｓ３）。ここで、ＮＯと判断されると、処理は終了し、再びユーザ操作の入力待ちの状態になる。またここで判断結果がＹＥＳとなると、次に視点位置の計算がコンテンツ配置手段１５により実行される（ステップ１０：Ｓ１０）。
【００５３】
次に、閲覧対象リストの先頭、または末尾に到達したのか否か（ＹＥＳ／ＮＯ）の判断が行われる（ステップ１１：Ｓ１１）。この判断でＹＥＳと判断されると、処理は終了し、再びユーザ操作の入力待ちの状態となる。
【００５４】
また、ステップ１１にてＮＯと判断されると、コンテンツ配置手段１５によりコンテンツ配置位置計算が行われる（ステップ１２：Ｓ１２）。次に、コンテンツ描画（表示）要求生成がコンテンツ表示手段１６により行われる（ステップ１３：Ｓ１３）。
【００５５】
コンテンツ描画要求に応じてコンテンツ取得手段１３ではコンテンツの取得が行われる（ステップ１４：Ｓ１４）。ここで取得されるコンテンツの内容は、例えば、画面表示イメージ、音声データ、動画データなどである。
【００５６】
次に、２Ｄ／３Ｄグラフィックス・音制御装置１７は、コンテンツ取得手段１３からコンテンツの画面表示イメージを取得する（ステップ１５：Ｓ１５）。次に、画面表示装置／音声出力装置１８にてビデオ／音声信号に基づいてコンテンツ画面の描画が実行され（ステップ１６：Ｓ１６）、その描画が完了した後に処理が終了して、再びユーザ操作の入力待ちへ戻る。
【００５７】
図４は、本発明の情報閲覧システムの実施の形態に係る、操作を説明するための説明図を示す。
【００５８】
閲覧対象リスト取得条件設定画面２３は、ユーザ１９からの入力装置１１を介した条件入力を受け、閲覧対象リスト制御手段２４に対して閲覧対象リスト９の取得要求を行う。
【００５９】
閲覧対象リスト制御手段２４は、ネットワーク接続手段２０を経由して閲覧リスト生成サーバ１に対して閲覧対象リスト９の取得要求を行い、閲覧対象リスト９を取得する。取得された閲覧対象リスト９は、閲覧対象リスト制御手段２４により閲覧対象リスト保存領域２５に保存される。
【００６０】
もし、取得結果がセグメント化された閲覧対象リスト９の一部分であった場合、セグメント単位で閲覧対象リスト９の書き込み保存および結合を行い、当該閲覧対象リスト９の連続化を行う。この連続化処理により、閲覧対象リスト９を取得済みの範囲に限っては、連続したひとつの閲覧対象リスト９として扱うことが可能となる。
【００６１】
また取得された閲覧対象リスト９は閲覧対象リスト取得条件設定画面２３に返却され、閲覧対象リスト取得条件設定画面２３は取得結果を画面表示装置／音声出力装置１８を介して画面に表示する。この画面表示を参照して、ユーザ１９は必要に応じて取得条件の見直しと再条件設定等を行うことができる。
【００６２】
コンテンツ配置手段１５から閲覧対象リスト９を取得要求されると、閲覧対象リスト制御手段２４は、閲覧対象リスト保存領域２５の保存領域を参照し、要求が格納されていないセグメントに該当した場合、閲覧リスト生成サーバ１に該当セグメントの取得を要求し、その取得結果を閲覧対象リスト保存領域２５に追加し、該当部分をコンテンツ配置手段１５に返却する。
【００６３】
図５に、本発明の情報閲覧システムの実施の形態に係る、閲覧対象リスト保存領域構成例を示す。
【００６４】
既に図４に示した閲覧対象リスト保存領域２５には、閲覧対象リスト９が保存される。ここで保存される閲覧対象リスト９がセグメント化された閲覧対象リスト９である場合、それぞれの閲覧対象リスト９のセグメントを連結して、連続したリストの作成を行う。
【００６５】
この図５に示した構成例では、複数の閲覧対象リスト９を個別に識別するためのＩＤが付与されている。さらに閲覧対象リストへのポインタも各々対応付けされて保存される。閲覧対象リストのそれぞれの取得状況も情報として保存されている。
【００６６】
図６は、本発明の情報閲覧システムの実施の形態に係る、閲覧対象リスト構成例を示す。
【００６７】
閲覧対象リスト９は、図６に示す一つの例のように構成することができ、リストＩＤで特定された閲覧対象リスト９について、そのリストの件数、リスト毎の識別ＩＤ、閲覧対象ＵＲＬ、閲覧順序、コンテンツ属性によって構成されている。
【００６８】
図７は、本発明の情報閲覧システムの実施の形態に係る、閲覧対象リスト取得条件例を示す。
【００６９】
閲覧対象リスト９についての閲覧対象リスト取得条件の一つの例において、取得対象となる閲覧対象リストのＩＤと、「電気通信」や「画像」といった検索語、「ＡＮＤ」などの検索条件、探索対象開始番号、取得件数によって構成されている。
【００７０】
図８は、本発明の情報閲覧システムの実施の形態に係る、閲覧対象リスト取得結果例を示す。
【００７１】
閲覧対象リスト９の取得結果として、閲覧対象リスト取得結果の一つの例では、検索結果開始番号、閲覧候補総件数、件数、ＩＤ、閲覧対象ＵＲＬ、閲覧順序、コンテンツ属性、によって構成されている。
【００７２】
ここで、図５〜図８を参照して、まず、ユーザ１９は閲覧対象リスト取得条件設定画面２３より図７に参照される閲覧対象リスト９の条件を設定する。探索対象開始番号は、システムに記憶されているＬｉｓｔＮｏに取得件数を掛けた値を利用し、取得件数には、閲覧リスト生成サーバ１に要求が許されている最大数を設定する。
【００７３】
この条件を閲覧リスト生成サーバ１に送信すると、図８に参照される閲覧対象リスト９の取得結果が受信される。この図８に示した一つの例では、閲覧候補が１０００件存在し、そのうち先頭から６番目のものから、５件を取得したことを示している。
【００７４】
このように、セグメント化して取得されたリストを図６に参照される形式の閲覧対象リスト９として閲覧対象リスト保存領域２５に保存し、各リストを図５に参照されるような構成例のデータテーブルを使用して連結と管理を実施する。
【００７５】
図９は、本発明の情報閲覧システムの実施の形態に係る、閲覧対象リスト要求による処理を説明するためのフロー図を示す。
【００７６】
まず、閲覧対象リスト取得要求がされる（ステップ２０：Ｓ２０）。次に、ユーザ１９の取得条件設定指示か否か（ＹＥＳ／ＮＯ）が判断される（ステップ２１：Ｓ２１）。
【００７７】
ステップ２１において、ＹＥＳと判断されると、閲覧対象リスト取得条件設定画面２３の初期化が実行される（ステップ２４：Ｓ２４）。次に、取得条件の入力と保存が行われる（ステップ２５：Ｓ２５）。
【００７８】
次に、閲覧対象リスト取得済みセグメント番号（ＬｉｓｔＮｏ）をゼロに初期化し、探索対象開始番号もゼロに初期化する（ステップ２６：Ｓ２６）。次に、閲覧リスト生成サーバ１から閲覧対象リスト９の取得を行い（ステップ２７：Ｓ２７）、閲覧対象リスト９を取得できたか否か（ＹＥＳ／ＮＯ）の判断がされる（ステップ２８：Ｓ２８）。このステップ２８における判断でＮＯと判断された場合は、再びステップ２５へ処理が戻り、取得条件の入力と保存を行う。
【００７９】
また、ステップ２８にてＹＥＳと判断された場合は、次に、閲覧対象リスト保存領域２５に取得されたリストを追加する（ステップ２９：Ｓ２９）。次に、ＬｉｓｔＮｏの値を＋１だけ増やし（ステップ３０：Ｓ３０）、処理が終了する。
【００８０】
一方、ステップ２１において、ＮＯと判断されると、要求された検索対象リスト番号が閲覧対象リスト保存領域２５に含まれているか否か（ＹＥＳ／ＮＯ）が判断される（ステップ２２：Ｓ２２）。この判断でＹＥＳの場合は、次に、閲覧対象リスト保存領域２５から要求されたリストを取り出すことが行われ（ステップ２３：Ｓ２３）、処理が終了する。
【００８１】
また、ステップ２２の判断においてＮＯと判断された場合、保存された取得条件の復帰が実行される（ステップ３１：Ｓ３１）。その後、ＬｉｓｔＮｏ×取得件数の値を、探索対象開始番号に代入して、閲覧対象リスト９の取得が行われる（ステップ３２：Ｓ３２）。次に、閲覧対象リスト９を取得できたか否か（ＹＥＳ／ＮＯ）の判断が行われる（ステップ３３：Ｓ３３）。この判断において、ＮＯと判断されると処理はここで終了する。また、ＹＥＳと判断されると閲覧対象リスト９の連結が実行される（ステップ３４：Ｓ３４）。
【００８２】
次に、閲覧対象リスト保存領域２５に取得されたリストを追加する（ステップ３５：Ｓ３５）。次に、ＬｉｓｔＮｏの値を＋１だけ増加させて処理が終了する。
【００８３】
図１０は、本発明の情報閲覧システムの実施の形態に係る、操作を説明するための説明図を示す。
【００８４】
入力装置１１は、ユーザ１９からの操作指示を行うためのホイール付きマウス、キーボード、ジョイスティック等の入力デバイスから構成されている。本実施の形態では、［戻る］ボタン、［進む］ボタンのふたつの操作指示を入力することのできる入力手段の構成を想定している。
【００８５】
この入力装置１１としては、たとえばマウス上のホイール回転操作、キーボードの［←］［→］矢印キー打鍵操作、ジョイスティック入力操作、などの［ＯＦＦ］値を含む３種類の状態を入力可能な機器ならば何ら限定することなく適用することができる。
【００８６】
［戻る］ボタン、［進む］ボタンからのそれぞれの入力情報は、ユーザ視点位置制御手段２６に通知される。ユーザ視点位置制御手段２６は、ユーザ１９の仮想的な表示画面上における視点移動を、仮想的な３次元空間内の自由曲線パスに沿って前後に移動させるための座標計算を行うものである。
【００８７】
ユーザ視点位置制御手段２６は、ユーザ画面操作情報の記憶領域であるユーザ画面操作情報保存領域２７を持ち、ユーザ１９の仮想的な視点位置についての３次元座標や、パス上のユーザ位置等の情報を記憶保持する。ユーザ視点移動拘束条件算出手段２８は、パス上に限定してユーザの視点を前後に移動させるための拘束条件を算出するものである。ユーザ視点位置情報と［戻る］、または［進む］移動指示を入力すると、移動指示後のユーザ視点位置情報が算出される。
【００８８】
次の図１１において、本発明の情報閲覧システムの実施の形態に係る、ユーザ視点操作の入力による処理を説明するためのフロー図を示す。
【００８９】
まず、入力装置１１をユーザ１９が操作することにより、ユーザ視点操作の入力がされる（ステップ４０：Ｓ４０）。次に、ステップ４０における入力について前進指示か否か（ＹＥＳ／ＮＯ）の判断がされる（ステップ４１：Ｓ４１）。ここでＹＥＳの場合、視点前進フラグを設定する（ステップ４４：Ｓ４４）。
【００９０】
次に、現在の視点位置情報を読み出す（ステップ４７：Ｓ４７）。視点移動速度を加算し、視点操作指示後の視点位置を求める（ステップ４８：Ｓ４８）。なお、このステップ４８ではユーザ視点移動拘束条件算出手段２８において、１次元直線上に視点移動を拘束する場合の処理である。次に、視点位置情報を保存し（ステップ４９：Ｓ４９）、処理が終了する。
【００９１】
一方、ステップ４１においてＮＯと判断されると、次に、後退指示か否か（ＹＥＳ／ＮＯ）が判断される（ステップ４２：Ｓ４２）。この判断でＹＥＳと判断されると、視点後退移動フラグがセットされる（ステップ４５：Ｓ４５）。次にステップ４７〜４９へ処理が進み、終了する。
【００９２】
また、ステップ４２にてＮＯと判断されると、停止指示か否か（ＹＥＳ／ＮＯ）が判断される（ステップ４３：Ｓ４３）。ここで、ＮＯの場合は処理が終了する。また、ＹＥＳの場合は視点移動停止フラグをセットする（ステップ４６：Ｓ４６）。次にステップ４７〜４９へ処理が進み、終了する。
【００９３】
次の図１２において、本発明の情報閲覧システムの実施の形態に係る、ユーザ視点操作の入力による処理を説明するためのフロー図を示す。
【００９４】
この図１２では、ユーザ視点移動拘束条件算出手段２８において、１次元直線上に視点移動を拘束する場合の処理フローが示されている。図１２中の表記については、ユーザ視点位置としてｘ、ｙ、ｚとし、視点移動前進距離としてＦｗＳｔｅｐ、視点移動後退距離としてＢｋＳｔｅｐ、視点移動指示後の視点位置としてｎｘ、ｎｙ、ｎｚ、としている。
【００９５】
また、拘束条件としては、ｘ＝０、Ｙ＝０、Ｚ＝ｔで示される直線上に視点移動範囲を限定している。さらに、０≦ｔかつｔ≦ｍａｘＬｅｎｇｔｈとする。ｍａｘＬｅｎｇｔｈは別途システムが定める値を使用する。また、ＦｗＳｔｅｐ、ＢｋＳｔｅｐの値はシステム定数であるが、入力装置が「前進−停止−後退」の間の中間的な値を持つものである場合、この中間的な値を代入する。
【００９６】
まず、前進フラグがセットされているか否か（ＹＥＳ／ＮＯ）が判断される（ステップ５０：Ｓ５０）。ここでＹＥＳと判断されると、ｎｚ＝０ｚ＋ＦｗＳｔｅｐ（０ｚはｚ軸座標０を示す）となる（ステップ５５：Ｓ５５）。次に、ｎｚ＞ｍａｘＬｅｎｇｔｈの判断がＹＥＳ／ＮＯでされる（ステップ５６：Ｓ５６）。この判断でＮＯとされると処理は終了する。また、ＹＥＳと判断されるとｎｚ＝ｏｚとされ（ステップ５７：Ｓ５７）、処理は終了する。
【００９７】
一方、ステップ５０において、ＮＯと判断されると、次に、後退移動フラグがセットされているか否か（ＹＥＳ／ＮＯ）が判断される（ステップ５１：Ｓ５１）。この判断でＮＯと判断されると処理は終了する。
【００９８】
また、ステップ５１にてＹＥＳと判断されると、ｎｚ＝０ｚ−ＢｋＳｔｅｐとされる（ステップ５２：Ｓ５２）。次に、ｎｚ＜０がＹＥＳ／ＮＯで判断される（ステップ５３：Ｓ５３）。ＮＯと判断されると処理は終了する。また、ＹＥＳと判断されると、ｎｚ＝０ｚとされ（ステップ５４：Ｓ５４）、処理は終了する。
【００９９】
図１３は、本発明の情報閲覧システムの実施の形態に係る、操作を説明するための説明図を示す。
【０１００】
コンテンツ配置位置制御手段２９は、閲覧対象リスト取得手段１２より閲覧対象リスト９を取得し、これを３Ｄオブジェクト管理情報３１に変換する。３Ｄオブジェクト管理情報３１は３Ｄオブジェクト情報保存領域３０に格納される配列型データとなっており、３Ｄオブジェクト管理状態情報３２で管理されている総オブジェクト数のレコードを保存する。
【０１０１】
コンテンツ配置座標算出手段３３が備える３Ｄオブジェクト表示位置算出関数でもって、ユーザ１９の視点位置情報よりコンテンツの配置座標を算出し、３Ｄオブジェクト管理情報３１のレコード内部の表示座標、および可視状態フラグを設定する。
【０１０２】
次の図１４において、本発明の情報閲覧システムの実施の形態に係る、ユーザ視点操作の更新による処理を説明するためのフロー図を示す。
【０１０３】
まず、ユーザ視点操作の更新が指示される（ステップ６０：Ｓ６０）。このステップ６０にて行われる指示は、図１２を参照して説明した、ユーザ視点移動拘束条件算出手段２８における１次元直線上に視点移動を拘束する場合の処理フローに基づいている。
【０１０４】
次に、既に表示済みの３Ｄオブジェクトのうち、ユーザ視点の背後位置となり、描画されないものを開放する（ステップ６１：Ｓ６１）。次に、コンテンツ７の表示範囲を算出する（ステップ６２：Ｓ６２）。次に、コンテンツ７の表示範囲内部に含まれる表示対象のコンテンツ７の集合を算出する（ステップ６３：Ｓ６３）。
【０１０５】
次に、表示対象となるコンテンツ７の配置座標を算出する（ステップ６４：Ｓ６４）。次に、３Ｄオブジェクトを生成し、表示対象となるコンテンツ７に割り当てる（ステップ６５：Ｓ６５）。次に、コンテンツ表示手段１６（ユーザ端末５）で同時表示可能な最大数に達したか否か（ＹＥＳ／ＮＯ）が判断される。ここで、ＹＥＳと判断されると処理は終了する。また、ＮＯと判断されると再びステップ６５に戻り、ステップ６６にてＹＥＳと判断されるまで処理を繰り返す。
【０１０６】
図１５は、本発明の情報閲覧システムの実施の形態に係る、操作を説明するための説明図を示す。
【０１０７】
３Ｄオブジェクト描画情報３６は、３Ｄオブジェクト管理情報３１と一対一で対応するレコードであり、仮想的な３次元空間内部に描画される３Ｄオブジェクトの実体を表すものである。
【０１０８】
テクスチャ投影描画の元データである表示素材データ、および表示形状データをレコードに持ち、コンテンツ表示制御手段３４は、３Ｄオブジェクト管理情報３１から３Ｄオブジェクト描画情報３６に変換し、３Ｄオブジェクト描画情報保存領域３５に格納する。
【０１０９】
表示素材データを未取得の場合、コンテンツ取得手段１３に対してコンテンツ取得要求を行い、ビットマップ画像、音声等のコンテンツ素材を取得、３Ｄオブジェクト描画情報保存領域３５に格納する。
【０１１０】
３Ｄオブジェクト描画コマンド変換手段３８は、３Ｄオブジェクト描画情報３６のレコードに格納されている３Ｄポリゴン等で構成されている表示形状データを、ＯｐｅｎＧＬ（登録商標）やＤｉｒｅｃｔ３Ｄ（登録商標）で描画するための描画コマンド列に変換する。
【０１１１】
次の図１６において、本発明の情報閲覧システムの実施の形態に係る、３Ｄオブジェクト描画情報に係る処理を説明するためのフロー図を示す。
【０１１２】
まず、オブジェクト表示カウンタｎをゼロ（０）に初期化する（ステップ７０：Ｓ７０）。次に、ｎ番目の３Ｄオブジェクト情報を読み出す（ステップ７１：Ｓ７１）。次に、コンテンツ素材が取得済みか否か（ＹＥＳ／ＮＯ）が判断される（ステップ７２：Ｓ７２）。ここでＹＥＳと判断されると、次に、３Ｄオブジェクト描画コマンド変換手段３８において３Ｄ描画オブジェクト描画コマンドへの変換を行う（ステップ７４：Ｓ７４）。また、ステップ７２でＮＯと判断されると、３Ｄオブジェクト種別に応じてコンテンツ素材の取得要求を行う（ステップ７３：Ｓ７３）。その後、ステップ７４へ処理が進む。
【０１１３】
次に、２Ｄ／３Ｄグラフィックス・音制御装置１７に描画コマンドを送付する（ステップ７５：Ｓ７５）。次に、最後の３Ｄオブジェクトに達したか否か（ＹＥＳ／ＮＯ）が判断される（ステップ７６：Ｓ７６）。ここで、ＹＥＳと判断されると処理は終了する。また、ＮＯと判断されるとｎ＝ｎ＋１とされ（ステップ７７：Ｓ７７）、再びステップ７１へ処理が戻り、ステップ７６の判断がＹＥＳとなるまで処理を繰り返す。
【０１１４】
図１７は、本発明の情報閲覧システムの実施の形態に係る、操作を説明するための説明図を示す。
【０１１５】
コンテンツ取得制御手段４０は、コンテンツ取得手段１３からの要求に対して、コンテンツ素材対応変換テーブル４１の各レコードであるコンテンツ素材種別レンダリング要求フラグ４２との対応を調べ、コンテンツ素材をレンダリングサーバ３経由で取得すべきかどうかを確認する。
【０１１６】
該当するコンテンツ素材対応変換テーブル４２のコンテンツ素材種別レンダリング要求フラグ４２がＯＮになっていれば、ネットワーク接続手段３９に対して、接続先をレンダリングサーバ３にリダイレクトし、コンテンツ７のレンダリング取得を実行する。コンテンツ素材種別レンダリング要求フラグ４２がＯＦＦになっているものについては、ネットワーク接続手段３９を経由して、直接コンテンツ蓄積サーバ２より、コンテンツ素材を取得する。
【０１１７】
次の図１８において、本発明の情報閲覧システムの実施の形態に係る、コンテンツ素材変換に係る処理を説明するためのフロー図を示す。
【０１１８】
まず、コンテンツ素材の属性の読み出しが実行される（ステップ８０：Ｓ８０）。次に、変換テーブル（後述の図１９を参照）より変換対応の可否を調査する（ステップ８１：Ｓ８１）。次に、変換が必要か否か（ＹＥＳ／ＮＯ）の判断がされる（ステップ８２：Ｓ８２）。ここでＮＯと判断されると、ネットワーク接続手段３９を利用して、直接コンテンツ素材を取得し（ステップ８５：Ｓ８５）、処理は終了する。
【０１１９】
また、ステップ８２においてＹＥＳと判断されるとネットワーク接続手段３９を利用してレンダリングサーバ３に接続し、コンテンツ７の代理取得を要求する（ステップ８３：Ｓ８３）。次に、変換されたコンテンツ素材をレンダリングサーバ３より取得し（ステップ８４：Ｓ８４）、処理は終了する。
【０１２０】
図１９は、本発明の情報閲覧システムの実施の形態に係る、コンテンツ素材対応変換テーブル例を示す。
【０１２１】
コンテンツ素材対応変換テーブルの一つの例として、その変換テーブルを構成するのは、コンテンツ属性と、変換要否と、変換サーバと、変換サーバＵＲＬなどである。コンテンツ属性には、ＨＴＭＬ文書、ＪＰＥＧ画像、ＭＰＥＧ画像、ＷＡＶ音声ファイル、ＭＰ３音声ファイルといったそれぞれのコンテンツに関する属性が示されている。変換要否は、それぞれのコンテンツ属性にもとづいて変換する必要があるか否かの要／不要の判断が記載されている。変換サーバとしては、各コンテンツの変換が行われるサーバを示しており、例えばレンダリングサーバ、動画中継装置などが例として示されている。変換サーバＵＲは、変換サーバそれぞれのネットワーク上のＵＲＬを示している。
【０１２２】
図２０は、本発明の情報閲覧システムの実施の形態に係る、ユーザ視点とコンテンツとの関係を説明するための説明図を示す。
【０１２３】
この図２０においては、ユーザ１９がユーザ端末５に表示された検索結果５１の擬似的な３次元表示における視点位置につて、カメラ５０を擬似的な視点位置に見立てている。このカメラ５０は、連続する複数の検索結果５１上を、進行方向Ｆで示した方向へ移動する。なお、擬似的な３次元空間において、連続する検索結果５１（閲覧対象リスト９）により形成されたクルージングパス５４が示されている。
【０１２４】
検索結果５１は個々の検索結果の集合体であり、この図２０においては５０件単位でセグメント化されている。この図２０を参照して、カメラ５０はクルージングパス５４上を進行方向Ｆに従い移動する。カメラ５０の移動に伴い、５０件ごとにセグメント化された検索結果５１について、カメラ５０が差しかかかっている検索結果５１がアクティブ領域５３となる。カメラ５０が通過済もしくは未通過の検索結果５１は非表示領域５２として待機状態になる。
【０１２５】
なお、このクルージングパス５４は、検索結果の件数が１〜３４９件であった場合を説明のための一つの例として示しており、カメラ５０が３００〜３４９件目の検索結果５１を通過した後は、再び１〜４９件目の検索結果５１へと戻り、ユーザ１９の視点（カメラ５０の視点）では、あたかも無限に連続しているかのような視覚効果を醸しだしている。
【０１２６】
図２１は、本発明の情報閲覧システムの実施の形態に係る、画像表示例を示す。
【０１２７】
ユーザ端末５において、検索結果５７があたかも３次元空間上に奥行き方向をもって配置されているように画像表示されている。ユーザ１９は入力装置１１を操作することにより、この画面における視点でもって遠方（画面奥方向）へ前進したり、あるいは後退することができる。表示された検索結果に係る情報は情報５６として表示され、また表示される検索結果５７に対する各種の表示指示などは指示メニュー５５にて示されている。
【０１２８】
なお、コンテンツの配列方法については、クルージングパス５４を中心に設定された半径の範囲内にコンテンツが配置されていれば良い。この半径は、ユーザの指定によって動的に変更することができる。コンテンツ配置手段は、ユーザから与えられた半径内にコンテンツ（検索結果５７）の配置を行う。このコンテンツの配置は、指定移動パス周囲の格子点上に規則正しく配置したり、あるいは円柱トンネル状に配列させても良い。
【０１２９】
図２２は、本発明の情報閲覧システムの実施の形態に係る、画像表示例を示す。図２１に参照される検索結果５７の表示形態として、この図２２に示すような遠近感をもった擬似的な３次元表示としてもよい。この図２２の表示では、複数の検索結果５７を格子状に並べ、かつ奥行きを持った円弧状に立体感を持たせている。
【０１３０】
図２３は、本発明の情報閲覧システムの実施の形態に係る、画像表示例を示す。この図２３では、先に示した図２１および図２２に参照される検索結果５７が静止画像データや動画データではなく、音声データ５８であった場合の表示例を示している。複数の音声データ５８は擬似的な３次元空間上に遠近感をもって配置される。ユーザ１９は入力装置１１の任意の操作により、画面に向かって奥へ前進あるいは後退することができる。この場合、音声データ５８は一番手前に表示されたものが所定の音量でもって再生されており、ユーザ１９の移動に伴って、例えば、離れる場合はフェードアウトし、近づく場合はフェードインする。さらに、別の内容の音声データ５８に近づいた場合、接近するにつれて対象となる音声データ５８が代わって再生される。
【０１３１】
このように、本発明の実施の形態により、ユーザの疲労防止、単位時間あたりの検索結果閲覧可能件数の向上を実現できる。また、シームレスに検索結果閲覧を行うことができることにより、表示セグメントの切換操作が必要無いので、大量の検索結果を閲覧するためのユーザ操作数を減らすことができる。
【０１３２】
また、ユーザ探索対象の発見可能性向上として、前述のユーザの疲労防止、検索結果閲覧効率の向上により、ユーザがリスト前方部分以外に存在する検索結果を容易に参照可能なシームレス検索機能を実現することが可能となるため、ユーザが所望する検索結果に到達する可能性を高めることができる。
【０１３３】
また、ユーザ探索対象の発見可能性向上として、上記に加えて、閲覧対象に音源を割当てて、同時に常時再生することにより、楽曲や動画の所謂『ながら聴き』検索を実現できる。さらに、検索結果リストのセグメント切換操作が不要となるため、シームレスに検索結果閲覧を行うことができる。
【０１３４】
また、ユーザの画像表示画面に対する視点移動と連動して、自動的に音源の再生音量調整も行われるため、音源の再生開始や停止操作が不要となる。このように、ユーザの閲覧操作に支障をきたさないように音源が常時再生されているため、ユーザが音源再生のための操作を都度実行しなければならない場合に比べ、ユーザが所望する検索結果に到達する可能性を高めることができる。
【０１３５】
また、以上説明した本発明の実施の形態によれば、検索に係る労力の軽減および単位時間あたりの検索結果の閲覧可能件数を向上させることができ、
また、遠近感を持って画像表示された検索結果について前進方向と後退方向の他の検索結果を連続的に検索可能な機能（シームレス検索機能）を実現でき、
また、音声データや動画データなどの検索結果を閲覧と同時に再生させることができ、
また、検索結果の連続的な閲覧に連動して音声データの再生音量や、動画データの画質の調整を実行することができる情報閲覧システム、方法およびプログラムを実現することができる。
【図面の簡単な説明】
【０１３６】
【図１】本発明の情報閲覧システムの実施の形態に係る、基本構成を説明するための構成図を示す。
【図２】本発明の情報閲覧システムの実施の形態に係る、操作を説明するための説明図を示す。
【図３】本発明の情報閲覧システムの実施の形態に係る、ユーザ操作の入力による処理を説明するためのフロー図を示す。
【図４】本発明の情報閲覧システムの実施の形態に係る、操作を説明するための説明図を示す。
【図５】本発明の情報閲覧システムの実施の形態に係る、閲覧対象リスト保存領域構成例を示す。
【図６】本発明の情報閲覧システムの実施の形態に係る、閲覧対象リスト構成例を示す。
【図７】本発明の情報閲覧システムの実施の形態に係る、閲覧対象リスト取得条件例を示す。
【図８】本発明の情報閲覧システムの実施の形態に係る、閲覧対象リスト取得結果例を示す。
【図９】本発明の情報閲覧システムの実施の形態に係る、閲覧対象リスト要求による処理を説明するためのフロー図を示す。
【図１０】本発明の情報閲覧システムの実施の形態に係る、操作を説明するための説明図を示す。
【図１１】本発明の情報閲覧システムの実施の形態に係る、ユーザ視点操作の入力による処理を説明するためのフロー図を示す。
【図１２】本発明の情報閲覧システムの実施の形態に係る、ユーザ視点操作の入力による処理を説明するためのフロー図を示す。
【図１３】本発明の情報閲覧システムの実施の形態に係る、操作を説明するための説明図を示す。
【図１４】本発明の情報閲覧システムの実施の形態に係る、ユーザ視点操作の更新による処理を説明するためのフロー図を示す。
【図１５】本発明の情報閲覧システムの実施の形態に係る、操作を説明するための説明図を示す
【図１６】本発明の情報閲覧システムの実施の形態に係る、３Ｄオブジェクト描画情報に係る処理を説明するためのフロー図を示す。
【図１７】本発明の情報閲覧システムの実施の形態に係る、操作を説明するための説明図を示す。
【図１８】本発明の情報閲覧システムの実施の形態に係る、コンテンツ素材変換に係る処理を説明するためのフロー図を示す。
【図１９】本発明の情報閲覧システムの実施の形態に係る、コンテンツ素材対応変換テーブル例を示す。
【図２０】本発明の情報閲覧システムの実施の形態に係る、ユーザ視点とコンテンツとの関係を説明するための説明図を示す。
【図２１】本発明の情報閲覧システムの実施の形態に係る、画像表示例を示す。
【図２２】本発明の情報閲覧システムの実施の形態に係る、画像表示例を示す。
【図２３】本発明の情報閲覧システムの実施の形態に係る、画像表示例を示す。
【図２４】従来の技術による検索画面表示例を示す。
【符号の説明】
【０１３７】
１  閲覧リスト生成サーバ
２  コンテンツ蓄積サーバ
３  レンダリングサーバ
４  ネットワーク
５  ユーザ端末
１１  入力装置
１２  閲覧対象リスト取得手段
１３  コンテンツ取得手段
１４  ユーザ画面操作制御手段
１５  コンテンツ配置手段
１６  コンテンツ表示手段
１７  ２Ｄ／３Ｄグラフィックス・音制御装置
１８  画面表示装置／音声出力装置
１９  ユーザ
【図１】
2006235760.tif 000003
【図２】
2006235760.tif 000004
【図３】
2006235760.tif 000005
【図４】
2006235760.tif 000006
【図５】
2006235760.tif 000007
【図６】
2006235760.tif 000008
【図７】
2006235760.tif 000009
【図８】
2006235760.tif 000010
【図９】
2006235760.tif 000011
【図１０】
2006235760.tif 000012
【図１１】
2006235760.tif 000013
【図１２】
2006235760.tif 000014
【図１３】
2006235760.tif 000015
【図１４】
2006235760.tif 000016
【図１５】
2006235760.tif 000017
【図１６】
2006235760.tif 000018
【図１７】
2006235760.tif 000019
【図１８】
2006235760.tif 000020
【図１９】
2006235760.tif 000021
【図２０】
2006235760.tif 000022
【図２１】
2006235760.tif 000023
【図２２】
2006235760.tif 000024
【図２３】
2006235760.tif 000025
【図２４】
2006235760.tif 000026